(57)【特許請求の範囲】
【請求項１】
上衣及び下衣を有するセパレート型の妊婦用衣服であって、
前記下衣が、前記下衣の最も上に位置し、前記下衣のずり落ちを抑制するための胴周りパーツと、前記胴周りパーツより低い位置に配置され、着用者のへそを含む腹部を覆うための腹周りパーツと、前記腹周りパーツより低い位置に配置され、着用者の腹部を保持するための腹部保持パーツと、前記腹周りパーツより低い位置に配置され、着用者の両脚を覆うための脚周りパーツとを備え、
前記胴周りパーツ、前記腹周りパーツ、前記腹部保持パーツ及び前記脚周りパーツの幅方向の伸びにくさが、次の式（１）及び（２）
腹部保持パーツ＞脚周りパーツ＞腹周りパーツ    式（１）
胴周りパーツ＞腹周りパーツ    式（２）
の関係にあり、
前記腹部保持パーツが、２つの端部と、その間の湾曲部とを有する湾曲形状を有し、前記腹部保持パーツが、下向きに突出するように且つ前記湾曲部が着用者の下腹部に位置するように、前記妊婦用衣服の前面に配置されており、
前記腹部保持パーツの２つの端部が、前記妊婦用衣服の側部において、前記脚周りパーツのうち、背面に存在する部分に連結されていることを特徴とする、前記妊婦用衣服。
【請求項２】
前記腹部保持パーツを幅方向に１０％伸長した際の引張強さが、１．０〜６．０Ｎであり、前記脚周りパーツを幅方向に１０％伸長した際の引張強さが、０．５〜４．０Ｎであり、そして前記腹周りパーツを幅方向に１０％伸長した際の引張強さが、０．２〜１．８Ｎである、請求項１に記載の妊婦用衣服。
【請求項３】
前記胴周りパーツを幅方向に１０％伸長した際の引張強さが、０．３〜２．７Ｎである、請求項１又は２に記載の妊婦用衣服。
【請求項４】
前記腹周りパーツを丈方向に１０％伸長した際の引張強さが、０．２〜１．８Ｎである、請求項１〜３のいずれか一項に記載の妊婦用衣服。
【請求項５】
前記腹周りパーツを幅方向及び丈方向に１００％伸長した際の引張強さが、両方とも７．０Ｎ以下である、請求項１〜４のいずれか一項に記載の妊婦用衣服。
【請求項６】
前記腹部保持パーツが、前記下衣を、前記下衣の丈方向と交差する交差方向に一周していない、請求項１〜５のいずれか一項に記載の妊婦用衣服。
【請求項７】
前記下衣が、その外側に、前記下衣を前記上衣に連結するための第１連結具を備え、そして前記上衣が、その内側且つ着用時に第１の連結具に対応する場所に、第１連結具と連結するための第２連結具を備える、請求項１〜６のいずれか一項に記載の妊婦用衣服。
【請求項８】
前記下衣が、第１連結具を、前記腹周りパーツの前面側に有する、請求項７に記載の妊婦用衣服。
【請求項９】
前記上衣が、その両側部に、前記上衣の前面の生地の少なくとも一部を丈方向に寄せ集めることにより形成された、一対のギャザー部を備える、請求項１〜８のいずれか一項に記載の妊婦用衣服。
【請求項１０】
水着である、請求項１〜９のいずれか一項に記載の妊婦用衣服。
【発明の詳細な説明】
【技術分野】
【０００１】
本開示は、妊婦用衣服に関する。
【背景技術】
【０００２】
運動不足の解消、肥満の予防、腰痛の改善、手足のむくみの改善等の観点から、妊娠中に適度な運動をすることが推奨されている。例えば、水中では、水圧、浮力、水の抵抗等が加わるため、妊娠中も、体、例えば、腰に負担をかけず、無理なく運動することができる。
【０００３】
妊婦の腹囲は、出産までの間に、個人差もあるが、約４０ｃｍ以上大きくなることが知られている。従って、妊娠から出産まで、１着の水着を着用するためには、水着に何らかのサイズ調整機構が必要となる。
【０００４】
特許文献１には、腹部に調整ひもを有する調整部を設けた水着が開示されている。
特許文献２には、伸縮性を有した水着又はレオタード等のワンピース型衣服であって、該衣服の裏面下半部に伸縮性編地より成る前部当布と後部当布とを充当して縫着すると共に、当該縫着された両当布で形成される上縁部が下腹部中心から背部にわたって左右に緩やかに上昇する湾曲輪郭線であることを特徴とするマタニティー用の水着又はレオタードが記載されている。
【先行技術文献】
【特許文献】
【０００５】
【特許文献１】特開昭５５−９３８０４号公報
【特許文献２】特開昭６０−８８１０５号公報
【発明の概要】
【発明が解決しようとする課題】
【０００６】
特許文献１に記載の水着は、腹部に、調整ひもから成る調整部を設けることにより、妊娠中の腹囲の変化に対応しようとするものである。また、特許文献２に記載の衣服は、伸縮性編地により、妊娠中の腹囲の変化に対応しようとするものである。
しかし、特許文献１及び２に記載の衣服は、ある程度の腹囲の変化に対応できるものであるが、妊娠初期から妊娠後期、並びに出産後まで着用できるものではない。また、妊娠後期の妊婦の腹部をサポートするものではない。
従って、本開示は、妊婦の腹部、特に妊娠後期の妊婦の腹部をサポートすることができ、そして妊娠初期から妊娠後期、並びに出産後も着用可能な妊婦用衣服を提供することを目的とする。
【課題を解決するための手段】
【０００７】
本開示者らは、上衣及び下衣を有するセパレート型の妊婦用衣服であって、上記下衣が、上記下衣の最も上に位置し、上記下衣のずり落ちを抑制するための胴周りパーツと、上記胴周りパーツより低い位置に配置され、着用者のへそを含む腹部を覆うための腹周りパーツと、上記腹周りパーツより低い位置に配置され、着用者の腹部を保持するための腹部保持パーツと、上記腹周りパーツより低い位置に配置され、着用者の両脚を覆うための脚周りパーツとを備え、上記胴周りパーツ、上記腹周りパーツ、上記腹部保持パーツ及び上記脚周りパーツの幅方向の伸びにくさが、腹部保持パーツ＞脚周りパーツ＞腹周りパーツ、及び胴周りパーツ＞腹周りパーツの関係にあることを特徴とする妊婦用衣服を見出した。
【発明の効果】
【０００８】
本開示の妊婦用衣服は、妊婦の腹部、特に妊娠後期の妊婦の腹部をサポートすることができ、そして妊娠初期から妊娠後期、並びに出産後も着用可能である。
【図面の簡単な説明】
【０００９】
【図１】図１は、本開示の実施形態の１つに従う妊婦用衣服１、具体的には水着の斜視図である。
【図２】図２は、図１に示される妊婦用衣服１の下衣３の斜視図である。
【図３】図３は、図１に示される妊婦用衣服１の正面図である。
【図４】図４は、図１に示される妊婦用衣服１の背面図である。
【図５】図５は、図１に示される妊婦用衣服１の下端４をまくり上げた図である。
【図６】図６は、図１〜図５に示される妊婦用衣服１を、妊娠初期又は出産後の着用者が着用している状態を説明するための図である。
【図７】図７は、図１〜図５に示される妊婦用衣服１を、妊娠初期又は出産後の着用者が着用している状態を説明するための図である。
【発明を実施するための形態】
【００１０】
最初に、本開示で用いられる用語について定義する。
「丈方向、及び幅方向」
本開示において、「丈方向」は、着用者が、本開示の妊婦用衣服を着用した際の、着用者の丈方向を意味し、「幅方向」は、上記丈方向と直交する方向を意味する。
［上、下端、低い］
本開示において、「上」、「下端」及び「低い」は、上記丈方向を基準とする。
［胴周り、腹周り及び脚周り］
本開示において、「胴周り」、「腹周り」及び「脚周り」は、対象となる、胴、腹、脚等の軸線周りを意味する。
【００１１】
［前面及び背面］
本開示において、「前面」及び「背面」は、着用者を基準とする。
［側部］
本開示において、「側部」は、着用者の上肢の付け根の前面側の端部及び背面側の端部から丈方向に下ろした２本の直線の間の範囲を意味し、前面の一部と、背面の一部とが含まれる。
【００１２】
本開示の妊婦用衣服について、以下、詳細に説明する。
図１は、本開示の実施形態の１つに従う妊婦用衣服１、具体的には水着の斜視図である。図２は、図１に示される妊婦用衣服１の下衣３の斜視図である。図３及び図４は、それぞれ、図１に示される妊婦用衣服１の正面図及び背面図である。図５は、図１に示される妊婦用衣服１の下端４をまくり上げた図である。なお、図１〜図５は、いずれも、妊婦用衣服１を、妊婦体型のマネキンに着用させた状態で示されている。
【００１３】
本実施形態において、妊婦用衣服１は、セパレート型であり、上衣２及び下衣３を有する。下衣３は、胴周りパーツ５と、腹周りパーツ６と、腹部保持パーツ７と、脚周りパーツ８とを備える。胴周りパーツ５は、下衣３の最も上に位置し、下衣３のずり落ちを抑制するためのパーツである。腹周りパーツ６は、胴周りパーツ５より低い位置に配置されており、より具体的には、胴周りパーツ５に隣接し、胴周りパーツ５に連結されており、着用者のへそを含む腹部を覆うためのパーツである。
【００１４】
腹部保持パーツ７は、腹周りパーツ６より低い位置に配置されており、より具体的には、腹周りパーツ６に隣接し、腹周りパーツ６に連結されており、着用者の腹部を保持するためのパーツである。なお、本実施形態では、腹部保持パーツ７は、脚周りパーツ８と同一の素材に、メッシュ素材を、下衣３の内側から縫い付けることにより形成されている。
脚周りパーツ８は、腹周りパーツ６より低い位置に配置されており、より具体的には、背面において腹周りパーツ６に隣接し、腹周りパーツ６に連結されており、着用者の両脚を覆うためのパーツである。
【００１５】
本実施形態では、腹部保持パーツ７が、下衣３を、下衣３の丈方向と交差する交差方向に一周していない。
そうすることにより、本開示の妊婦用衣服では、特定の伸びにくさを有する腹部保持パーツが、着用者の腹部、特に妊娠後期の大きな腹部を締め付けにくくなり、着用者が、圧迫感を覚えにくい。
上記効果は、本開示の妊婦用衣服が水着である場合に、特に高い。水中では、腹部に水圧が加わるため、圧迫感を覚えやすいからである。
【００１６】
なお、腹部保持パーツが、下衣を、その交差方向に一周していない実施形態では、腹部保持パーツの一周していない部分に、腹部保持パーツよりも伸びやすい素材が配置され、腹部保持パーツが、上記伸びやすい素材に連結されていることが好ましい。
上記伸びやすいパーツの伸縮性により、着用者の腹部が締め付けられにくくなるからである。なお、上記伸びやすいパーツとしては、例えば、脚周りパーツが挙げられる。
【００１７】
本実施形態では、腹部保持パーツ７が、２つの端部１２と、その間の湾曲部１１とを有する湾曲形状を有し、腹部保持パーツ７が、下向きに突出するように且つ湾曲部１１が着用者の下腹部に位置するように、妊婦用衣服１の前面に配置されている。
本開示の妊婦用衣服において、腹部保持パーツが上述の形状及び配置を有することにより、特定の伸びにくさを有する腹部保持パーツが、着用者の腹部、特に妊娠後期の大きな腹部を、下から支えることができる。
本開示の妊婦用衣服では、上記湾曲部が、鼠径部に位置するように配置されることが好ましい。
なお、腹部保持パーツの伸びについては、後述する。
【００１８】
また、腹部保持パーツ７の２つの端部１２は、妊婦用衣服１の側部において、脚周りパーツ８のうち、背面に存在する部分に連結されている。
そうすることにより、本開示の妊婦用衣服では、特定の伸びにくさを有する腹部保持パーツが、当該腹部保持パーツよりも伸びやすい脚周りパーツをその間に挟むことにより、着用者の腹部、特に妊娠後期の大きな腹部を締め付けにくくなり、着用者が、圧迫感を覚えにくい。
【００１９】
本実施形態では、図５に示されるように、下衣３が、その外側に、下衣３を上衣２に連結するための第１連結具１３を備え、そして上衣２が、その内側且つ第１の連結具１３に対応する場所に、第１連結具１３と連結するための第２連結具１４を備える。
そうすることにより、本開示の妊婦用衣服では、下衣が、ずり落ちにくくなる。
【００２０】
本実施形態では、図５に示されるように、下衣３は、第１連結具１３を、腹周りパーツ６の前面側に有する。また、上衣２は、第２連結具１４を、上衣２の前面側に有する。
そうすることにより、本開示の妊婦用衣服では、着用者、特に、腹部の大きくなる妊娠後期の着用者が、第１の連結具と、第２の連結具とを視認しやすくなり、そして両腕を後方に大きく引かずに、それらを連結することができ、そして上衣が捲れ上がりにくくなる。また、妊娠初期又は出産後の腹部の大きくない着用者では、上衣が捲れ上がりにくくなり、そして下衣がずり落ちにくくなる。
なお、上記上衣の捲れ上がりにくさは、本開示の妊婦用衣服が水着である場合に、その効果が高い。水中では、セパレート型の衣服の上衣は捲れ上がりやすいからである。
【００２１】
本実施形態では、上衣２が、その両側部に、上衣２の前面の素材の少なくとも一部を丈方向に寄せ集めることにより形成され、着用者の腹部のサイズの変化に適応するための一対のギャザー部１５を備える。一対のギャザー部１５が存在することにより、上衣２が、着用者の腹部のサイズの変化、特に、丈方向のサイズの変化に適応することができる。
本開示の妊婦用衣服において、上衣が一対のギャザー部を備えることにより、妊婦用衣服が、着用者の腹部のサイズの変化、特に丈方向のサイズの変化に対応することができ、妊娠初期、妊娠中期及び妊娠後期、並びに出産後のいずれの時期であっても、美観を保つことができる。
なお、妊娠初期及び出産後の着用状態については後述する。
【００２２】
本開示の妊婦用衣服において、胴周りパーツ、腹周りパーツ、腹部保持パーツ及び脚周りパーツの幅方向の伸びにくさは、下記式（１）及び（２）の関係を満たす。
腹部保持パーツ＞脚周りパーツ＞腹周りパーツ    式（１）
胴周りパーツ＞腹周りパーツ    式（２）
【００２３】
式（１）において、腹部保持パーツが脚周りパーツより伸びにくいことにより、腹部保持パーツが、着用者の腹部を保持することができる。
また、式（１）において、脚周りパーツを腹周りパーツより伸びにくくする（すなわち、腹周りパーツを脚周りパーツより伸びやすくする）ことにより、着用者が腹部に圧迫感を感じにくくなる。
さらに、式（２）において、胴周りパーツを腹周りパーツより伸びにくくすることにより、下衣の最も上に存在する胴周りパーツが、ずり落ちを防止し、下衣がずり落ちにくくなる。
【００２４】
本開示の妊婦用衣服において、腹部保持パーツを幅方向に１０％伸長した際の引張強さは、好ましくは１．０〜６．０Ｎであり、より好ましくは１．２〜４．０Ｎであり、そしてさらに好ましくは１．４〜３．０Ｎである。
上記引張強さが１．０Ｎを下回ると、腹部保持パーツが着用者の腹部の保持に寄与しない場合があり、そして上記引張強さが６．０Ｎを上回ると、着用者が腹部に圧迫感を覚える場合がある。
【００２５】
本開示の妊婦用衣服において、脚周りパーツを幅方向に１０％伸長した際の引張強さが、好ましくは０．５〜４．０Ｎであり、より好ましくは０．８〜３．０Ｎであり、そしてさらに好ましくは１．０〜２．０Ｎである。
上記引張強さが０．５Ｎを下回ると、腹部保持パーツが脚周りパーツに連結された場合に、腹部保持パーツが腹部を保持する力が不十分な傾向があり、そして上記引張強さが４．０Ｎを上回ると、着用者が圧迫感を覚えやすい傾向がある。
【００２６】
本開示の妊婦用衣服において、腹周りパーツを幅方向に１０％伸長した際の引張強さは、好ましくは０．２〜１．８Ｎであり、より好ましくは０．３〜１．２Ｎであり、そしてさらに好ましくは０．４〜１．０Ｎである。
上記引張強さが１．８Ｎを上回ると、着用者が腹部に圧迫感を覚える場合がある。なお、上記引張強さの下限は、衣服としての強度の観点によるものである。
【００２７】
本開示の妊婦用衣服において、腹周りパーツを幅方向に１００％伸長した際の引張強さは、好ましくは７．０Ｎ以下であり、より好ましくは６．０Ｎ以下であり、そしてさらに好ましくは５．５Ｎ以下である。
上記引張強さが７．０Ｎを上回ると、妊娠後期において、下衣を脱着しにくくなる傾向があり、そして着用時に着用者（特に妊娠後期）が腹部に圧迫感を覚える場合がある。
【００２８】
本開示の妊婦用衣服において、胴周りパーツを幅方向に１０％伸長した際の引張強さは、好ましくは０．３〜２．７Ｎであり、好ましくは０．４〜２．０Ｎであり、そしてさらに好ましくは０．５〜１．５Ｎである。
上記引張強さが０．３Ｎを下回ると、運動した際に、胴周りパーツの位置がずれる場合があり、そして上記引張強さが２．７Ｎを上回ると、着用者が腹部に圧迫感を覚える場合がある。
【００２９】
本開示の妊婦用衣服において、胴周りパーツを幅方向に１００％伸長した際の引張強さは、好ましくは１２．０Ｎ以下であり、より好ましくは１０．０Ｎ以下であり、そしてさらに好ましくは９．０Ｎ以下である。
上記引張強さが１２．０Ｎを上回ると、下衣を脱着しにくくなる傾向があり、そして着用時に、着用者（特に妊娠後期）が腹部に圧迫感を覚える場合がある。
【００３０】
本明細書では、引張強さは、原則として、ＪＩＳ  Ｌ  １０９６：２０１０の「８．１４  引張強さ及び伸び率」の「８．１４．１  ＪＩＳ法」の「ｂ）Ｂ法」に従って測定される。引張速度を１００ｍｍ／分とする点が、上記ＪＩＳからの相違点である。
上記試験に用いられる測定機器としては、定速伸長型引張試験器、例えば、ＯＲＩＥＮ  ＴＥＣ社製のＲＴＣ−１２１０Ａが挙げられる。
なお、試料は、測定方向（幅方向、又は丈方向）に応じて採取する。
なお、試料を１０％伸長するとは、自然状態の長さの１．１倍に伸ばすことを意味する。
【００３１】
本開示の妊婦用衣服において、腹周りパーツを丈方向に１０％伸長した際の引張強さは、好ましくは０．２〜１．８Ｎであり、より好ましくは０．３〜１．２Ｎであり、そしてさらに好ましくは０．４〜１．０Ｎである。
上記引張強さが１．８Ｎを上回ると、着用者が腹部に圧迫感を覚える場合がある。なお、上記引張強さの下限は、衣服としての強度の観点によるものである。
【００３２】
本開示の妊婦用衣服において、腹周りパーツを丈方向に１００％伸長した際の引張強さは、好ましくは７．０Ｎ以下であり、より好ましくは６．０Ｎ以下であり、そしてさらに好ましくは５．５Ｎ以下である。
上記引張強さが７．０Ｎを上回ると、下衣を脱着しにくくなる傾向があり、そして着用時に、着用者（特に妊娠後期）が腹部に圧迫感を覚える場合がある。
【００３３】
図６及び図７は、図１〜図５に示される妊婦用衣服１を、妊娠初期又は出産後の着用者が着用している状態を説明するための図である。図６及び図７は、それぞれ、図１及び図２に対応する。
【００３４】
図６に示されるように、妊娠初期又は出産後の腹部の大きくない着用者が妊婦用衣服１を着用すると、上衣２の前面の下端４の位置が下がることにより、着用者の腹部に上衣２の素材が余りにくく、そして腹部に膨らみが生じず、一見、妊婦用ではない通常の水着を着用しているように見える。
【００３５】
一方、図１では、一対のギャザー部１５が存在することにより、妊娠後期の腹部の大きな着用者が妊婦用衣服１を着用した場合であっても、上衣２が着用者の、胸及び腹部の立体形状に沿い、美観に優れる。なお、本開示の妊婦用衣服が一対のギャザー部を有しない場合には、妊娠後期の着用者が妊婦用衣服を着用すると、上衣と、着用者の胸との間に空隙が生じる場合がある。
以上のように、本開示の妊婦用衣服において、上衣が一対のギャザー部を有することにより、妊婦用衣服が美観に優れる効果を有する。
【００３６】
また、図７に示されるように、下衣３において、胴周りパーツ５が、引張強さの小さい、すなわち、伸びやすい素材により形成されているため、妊娠初期又は出産後の着用者が着用した場合に、素材が余りにくい。さらに、下衣３は、その外側に、下衣３を上衣２に連結するための第１連結具１３を備えるため、妊娠初期又は出産後の腹部の大きくない着用者が妊婦用衣服１を着用した場合であっても、下衣３がずり落ちにくい。
【００３７】
本開示の妊婦用衣服において、胴周りパーツ、腹周りパーツ、腹部保持パーツ及び脚周りパーツの素材は、所定の伸びにくさを有するものであれば、特に制限されず、編物、織物等が挙げられる。胴周りパーツ及び腹周りパーツの素材は、例えば、ホールガーメント（商標）であってもよい。
【００３８】
また、腹部保持パーツは、脚周りパーツに、伸びにくさを付与する補助パーツ、例えば、メッシュ素材を組み合わせたものであってもよい。例えば、脚周りパーツ及び腹部保持パーツを、脚周りパーツ用の素材で一括して作成し、腹部保持パーツとなるべき領域にメッシュ素材を縫い付けることにより、腹部保持パーツを形成することができる。
【００３９】
また、第１の連結具及び第２の連結具は、当技術分野で連結具として用いられているものであれば特に制限されず、例えば、本件出願人による特開２０１１−１６２８９６号公報に記載される、第１の連結具及び第２の連結具が挙げられる。
【００４０】
本開示の妊婦用衣服としては、妊婦用のセパレート型衣服であれば、特に制限されず、例えば、スポーツ用衣服、例えば、水着が挙げられる。
なお、本開示の妊婦用衣服は、その構造上、妊婦に限定されず、経産婦、例えば、出産後、出産前の体型に戻る前の女性、太めの女性及び太めの男性も着用することができる。
【実施例】
【００４１】
以下、例を挙げて本開示を説明するが、本開示はこれらの例に限定されるものではない。
［例１］
図１〜図５に示される水着を作成した。腹部保持パーツ及び脚周りパーツは、一体成形した上で、腹部保持パーツに相当する場所に、水着の内側からメッシュ素材を縫い付けた。
各パーツの、１０％伸長時の引張強さを測定した。結果を表１に示す。また、胴周りパーツ（幅方向）及び腹回りパーツ（幅方向及び丈方向）の、１００％伸長時の引張強さを測定した。併せて表１に示す。
【００４２】
【表１】
0006410546.tif 000002
【００４３】
上記水着を、Ｓ，Ｍ及びＬの各サイズごとに複数枚作成し、妊娠初期、妊娠後期及び出産後の複数のボランティアの被験者に着用してもらったところ、妊娠後期の被験者から、水着により腹部が保持されている感覚があり、そして水中で圧迫感を覚えにくかったとの回答を得た。
また、妊娠初期及び出産後の被験者から、上衣及び下衣が、腹部のところで余りにくく、見た目にもすっきりしているとの回答を得た。
【００４４】
具体的には、本開示は以下のＪ１〜Ｊ１１に関する。
［Ｊ１］
上衣及び下衣を有するセパレート型の妊婦用衣服であって、
上記下衣が、上記下衣の最も上に位置し、上記下衣のずり落ちを抑制するための胴周りパーツと、上記胴周りパーツより低い位置に配置され、着用者のへそを含む腹部を覆うための腹周りパーツと、上記腹周りパーツより低い位置に配置され、着用者の腹部を保持するための腹部保持パーツと、上記腹周りパーツより低い位置に配置され、着用者の両脚を覆うための脚周りパーツとを備え、
上記胴周りパーツ、上記腹周りパーツ、上記腹部保持パーツ及び上記脚周りパーツの幅方向の伸びにくさが、次の式（１）及び（２）
腹部保持パーツ＞脚周りパーツ＞腹周りパーツ    式（１）
胴周りパーツ＞腹周りパーツ    式（２）
の関係にあることを特徴とする、上記妊婦用衣服。
【００４５】
［Ｊ２］
上記腹部保持パーツを幅方向に１０％伸長した際の引張強さが、１．０〜６．０Ｎであり、上記脚周りパーツを幅方向に１０％伸長した際の引張強さが、０．５〜４．０Ｎであり、そして上記腹周りパーツを幅方向に１０％伸長した際の引張強さが、０．２〜１．８Ｎである、Ｊ１に記載の妊婦用衣服。
［Ｊ３］
上記胴周りパーツを幅方向に１０％伸長した際の引張強さが、０．３〜２．７Ｎである、Ｊ１又はＪ２に記載の妊婦用衣服。
【００４６】
［Ｊ４］
上記腹周りパーツを丈方向に１０％伸長した際の引張強さが、０．２〜１．８Ｎである、Ｊ１〜Ｊ３のいずれか一項に記載の妊婦用衣服。
［Ｊ５］
上記腹周りパーツを幅方向及び丈方向に１００％伸長した際の引張強さが、両方とも７．０Ｎ以下である、Ｊ１〜Ｊ４のいずれか一項に記載の妊婦用衣服。
【００４７】
［Ｊ６］
上記腹部保持パーツが、上記下衣を、上記下衣の丈方向と交差する交差方向に一周していない、Ｊ１〜Ｊ５のいずれか一項に記載の妊婦用衣服。
［Ｊ７］
上記腹部保持パーツが、２つの端部と、その間の湾曲部とを有する湾曲形状を有し、上記腹部保持パーツが、下向きに突出するように且つ上記湾曲部が着用者の下腹部に位置するように、上記妊婦用衣服の前面に配置されている、Ｊ１〜Ｊ６のいずれか一項に記載の妊婦用衣服。
【００４８】
［Ｊ８］
上記腹部保持パーツの２つの端部が、上記妊婦用衣服の側部において、上記脚周りパーツのうち、背面に存在する部分に連結されている、Ｊ７に記載の妊婦用衣服。
［Ｊ９］
上記下衣が、その外側に、上記下衣を上記上衣に連結するための第１連結具を備え、そして上記上衣が、その内側且つ着用時に第１の連結具に対応する場所に、第１連結具と連結するための第２連結具を備える、Ｊ１〜Ｊ８のいずれか一項に記載の妊婦用衣服。
【００４９】
［Ｊ１０］
上記下衣が、第１連結具を、上記腹周りパーツの前面側に有する、Ｊ９に記載の妊婦用衣服。
［Ｊ１１］
上記上衣が、その両側部に、上記上衣の前面の生地の少なくとも一部を丈方向に寄せ集めることにより形成された、一対のギャザー部を備える、Ｊ１〜Ｊ１０のいずれか一項に記載の妊婦用衣服。
［Ｊ１２］
水着である、Ｊ１〜１１のいずれか一項に記載の妊婦用衣服。
【符号の説明】
【００５０】
１    妊婦用衣服
２    上衣
３    下衣
４    下端
５    胴周りパーツ
６    腹周りパーツ
７    腹部保持パーツ
８    脚周りパーツ
１１    湾曲部
１２    端部
１３    第１連結具
１４    第２連結具
１５    ギャザー部
【図１】
0006410546.tif 000003
【図２】
0006410546.tif 000004
【図３】
0006410546.tif 000005
【図４】
0006410546.tif 000006
【図５】
0006410546.tif 000007
【図６】
0006410546.tif 000008
【図７】
0006410546.tif 000009